(57)【要約】【課題】内視鏡内部の管路内及び内視鏡内部の管路の入口に固定された口金内に全く薬液に触れない箇所を作らずにでき、全ての箇所を確実に洗浄、消毒できるようにする。【解決手段】本発明に係る内視鏡用洗浄アダプタ２は、内視鏡内部の管路の入口に固定された口金２４Ａに装着して用いられ、口金２４Ａの内部に挿入されるガイドパイプ５８が、洗浄液の圧力変動に応じて上下に移動する。ガイドパイプ５８の下端部に下端側で外径が小さくなる円錐台形状の太径部５８ＢＧが設けられ、太径部５８ＢＧは、その外周面が口金２４Ａの内壁に近接する。太径部５８ＢＧには、流入した洗浄液を口金２４Ａの中央に向けて吐出する本流出口５８ＢＨと洗浄液を上方に向かって吐出する分流出口５８ＢＩとが設けられる。【選択図】図８
2013111446.tif 000002
【特許請求の範囲】
【請求項１】
内視鏡内部の管路の入口に固定された口金に装着して用いられ、洗浄液を前記口金を通して前記管路に流入させる内視鏡用洗浄アダプタにおいて、
洗浄液が注入される注入口が設けられ、この注入口に連通して底面まで貫通する中空部が形成された略筒状の本体部と、
前記中空部内に上下に移動自在に収容され、上端部に前記注入口からの洗浄液が流入する入口が設けられ、下端部には流入した前記洗浄液を前記口金の中央に向けて吐出する本流出口と洗浄液を上方に向かって吐出する分流出口とが設けられるとともに、前記下端部が前記口金の内部に挿入されるガイドパイプと、
前記ガイドパイプを前記中空部内で上方に付勢し、前記注入口から流入する洗浄液の圧力変動に応じて前記ガイドパイプを中空部内で上下に移動させる付勢部材と、
を備えたことを特徴とする内視鏡用洗浄アダプタ。
【請求項２】
前記口金の内部に挿入される前記ガイドパイプの下端部に下端側で外径が小さくなる円錐台形状の太径部が設けられ、前記本流出口は前記太径部の底面に形成され、前記分流出口は膨出部の上面に形成されることを特徴とする請求項１記載の内視鏡用洗浄アダプタ。
【請求項３】
前記太径部は、その外周面が前記口金の内壁に近接することを特徴とする請求項２記載の内視鏡用洗浄アダプタ。
【請求項４】
前記太径部の上面に対向する前記本体部の底面に前記ガイドパイプを中心に放射方向に延びた複数本の溝が形成され、前記分流出口から吐出した洗浄液がガイドパイプの外側に向けられることを特徴とする請求項３記載の内視鏡用洗浄アダプタ。
【発明の詳細な説明】
【技術分野】
【０００１】
本発明は、内視鏡内部の管路を洗浄消毒する際に内視鏡内部の管路の入口に固定された口金と、洗浄液が送られてくる洗浄装置の流体供給管路との間に接続される内視鏡用洗浄アダプタに関するものである。
【背景技術】
【０００２】
患者の体腔内の検査や治療に使用される医療機器として、内視鏡が知られている。使用後の内視鏡は、体腔内に挿入される挿入部の外周面や各チャンネル内に体液や汚物が付着している。これらの体液や汚物に含まれる病原菌やウイルスは院内感染の原因となるので、使用後の内視鏡は、必ず洗浄、消毒されている。
【０００３】
使用済みの内視鏡を洗浄及び消毒する際、内視鏡用洗浄装置による洗浄では、内視鏡の表面だけでなく、内部に設けられた各管路も洗浄して汚物を除去しなければならない。このため、洗浄液が送られてくる洗浄装置の流体供給管路と、内視鏡の内部に配設された送気・送水チャンネルや鉗子チャンネルなどの各チャンネル（管路）の入口に固定された口金とを接続するための洗浄アダプタが必要である。
【０００４】
洗浄液等の薬液が確実に内視鏡内部の管路内に入るよう、洗浄アダプタの一端には口金に着脱自在に挿入される挿入部が設けられているが、挿入部の外周面と口金の内壁との間の隙間が狭く液体が通過しづらい弁構造になっている。液体が通過しづらいため、この部分にのみ、洗浄液、薬液や、消毒の不十分になる現象が発生する懸念がある。
【０００５】
例えば下記特許文献１に記載された洗浄アダプタには、内視鏡内部の管路に連通する口金に着脱自在に遊嵌するコネクタ部と、コネクタ部内に設けられ供給された流体の送液圧によって前進する弁体と、コネクタ部内に設けられ弁体を付勢する付勢部材と、弁体に設けられ供給された流体の送液圧によって弁体と共に前進し口金の先端部に設けられたフランジ部に密着するシール体と、コネクタ部内に設けられ口金に挿入される挿入部と、が備えられている。洗浄装置が流量を制御することで送液圧が変化し、これに伴い弁体が軸方向に移動する。シール体がフランジ部に密着したときに、流体は口金内のみ流れ、シール体がフランジ部から離れたときに、シール体とフランジ部との隙間に流体が漏れコネクタ部の外周面も洗浄可能としている。
【先行技術文献】
【特許文献】
【０００６】
【特許文献１】特開２００９−１９５４００
【発明の概要】
【発明が解決しようとする課題】
【０００７】
しかしながら、特許文献１の洗浄アダプタは、挿入部の外周面と口金の内壁との間の隙間が狭く液体が通過しづらいため、口金の内壁のうちその箇所は洗浄できない弁構造になっている。すなわち、特許文献１の洗浄アダプタによっては口金内及び内視鏡内部の管路内の全ての箇所を洗浄することはできないという問題点がある。
【０００８】
本発明は、上記問題点に鑑みてなされたものであり、その目的は、口金内及び内視鏡内部の管路内に全く薬液に触れない箇所をなくすことができ、全ての箇所を確実に洗浄、消毒することができる内視鏡用洗浄アダプタを提供することにある。
【課題を解決するための手段】
【０００９】
上記目的を達成するために、本発明に係る内視鏡用洗浄アダプタは、内視鏡内部の管路の入口に固定された口金に装着して用いられ、洗浄液を前記口金を通して前記管路に流入させる内視鏡用洗浄アダプタにおいて、洗浄液が注入される注入口が設けられ、この注入口に連通して底面まで貫通する中空部が形成された略筒状の本体部と、前記中空部内に上下に移動自在に収容され、上端部に前記注入口からの洗浄液が流入する入口が設けられ、下端部には流入した前記洗浄液を前記口金の中央に向けて吐出する本流出口と洗浄液を上方に向かって吐出する分流出口とが設けられるとともに、前記下端部が前記口金の内部に挿入されるガイドパイプと、前記ガイドパイプを前記中空部内で上方に付勢し、前記注入口から流入する洗浄液の圧力変動に応じて前記ガイドパイプを中空部内で上下に移動させる付勢部材と、を備えたことを特徴とする。
【００１０】
また、前記口金の内部に挿入される前記ガイドパイプの下端部に下端側で外径が小さくなる円錐台形状の太径部が設けられ、前記本流出口は前記太径部の底面に形成され、前記分流出口は膨出部の上面に形成される。前記太径部は、その外周面が前記口金の内壁に近接する。
【００１１】
また、前記太径部の上面に対向する前記本体部の底面に前記ガイドパイプを中心に放射方向に延びた複数本の溝が形成され、前記分流出口から吐出した洗浄液がガイドパイプの外側に向けられる。
【発明の効果】
【００１２】
本発明の内視鏡用洗浄アダプタによれば、口金内及び内視鏡内部の管路内に、全く薬液に触れない箇所をなくすことができ、全ての箇所を確実に洗浄、消毒することができる。
【図面の簡単な説明】
【００１３】
【図１】本発明に係る洗浄アダプタを用いた内視鏡を洗浄する際の様子を示した模式図である。
【図２】本発明に係る洗浄アダプタの組立図である。
【図３】本発明に係る洗浄アダプタの斜視図である。
【図４】実施形態のアダプタ本体の斜視図である。
【図５】本発明に係る洗浄アダプタの第二ロック部材を下から見た図である。
【図６】実施形態のガイドパイプの斜視図である。
【図７】本発明に係る流量が少ない又は無い時の洗浄アダプタの断面図である。
【図８】本発明に係る比較的流量が多い時の洗浄アダプタの断面図である。
【発明を実施するための形態】
【００１４】
以下に、添付した図面を参照しながら、本発明の好適な実施形態について詳細に説明する。
【００１５】
図１において、本発明の内視鏡用洗浄アダプタ（以下、洗浄アダプタと呼ぶ）２が装着される内視鏡１０は、先端部に超小型固体撮像素子（ＣＣＤセンサ、ＣＭＯＳセンサ等）を搭載した電子内視鏡である。内視鏡１０は、固体撮像素子が内蔵され、大腸等の消化管内に挿入される長尺状の挿入部１１と、挿入部１１に連設され、内視鏡１０の把持及び挿入部１１の操作に用いられる操作部１２と、この操作部１２に接続されたユニバーサルコード１３とを備える。
【００１６】
ユニバーサルコード１３は、内視鏡１０から受信される撮像信号を処理するプロセッサや、内視鏡１０に内挿されたライトガイドに照明光を入力する光源装置に接続されるコードである。ユニバーサルコード１３の一端には、プロセッサに接続するコネクタ１４や、光源装置に接続するためのコネクタ１５が設けられている。プロセッサに接続されるコネクタ１４には、電気的な導通を得るための接点部が設けられているため、洗浄の際には、防水キャップが取り付けられる。
【００１７】
光源装置に接続されるコネクタ１５の端面からは、ライトガイド１６と送気コネクタ１７の端部が一部突出して露呈されている。送気コネクタ１７は、挿入部１１及びユニバーサルコード１３の内部に配設された送気・送水チャンネルに連通している。光源装置には、送気ポンプから供給される圧縮空気の供給口が設けられており、コネクタ１５が接続されると、送気コネクタ１７の端部と供給口が接続される。コネクタ１５の側面には、送水コネクタ１８、吸引コネクタ１９などが設けられている。
【００１８】
内視鏡１０には、鉗子チャンネル、吸引チャンネル、送気・送水チャンネルなどの管路が設けられている。鉗子チャンネルは、操作部１２に設けられた鉗子入口から、挿入部１１の先端部１１Ａに設けられた鉗子出口に延びている。吸引チャンネルは、鉗子出口から鉗子入口２４に向けて、分岐点までが鉗子チャンネルと共用しており、分岐点から操作部１２に設けられた吸引制御弁を介して吸引コネクタ１９へ延びている。吸引コネクタ１９には、図示しない吸引タンクが接続される。
【００１９】
送気・送水チャンネルは、一端が挿入部１１の先端に設けられた送気・送水ノズルに接続されており、送気・送水ノズルの基端側で送気チャンネルと送水チャンネルに分岐している。送気チャンネルと送水チャンネルは、操作部１２に設けられた送気・送水制御弁を介してそれぞれ送気コネクタ１７及び送水コネクタ１８へ延びている。送気コネクタ１７及び送水コネクタ１８は、送気タンク及び送水タンクがそれぞれ接続される。なお、洗浄消毒の際には、キャップによって送水コネクタ１８は気密に塞がれる。キャップの内部では、送水チャンネルと分岐路との間は、流体の流通が可能な状態が保持される。
【００２０】
以上のように構成される内視鏡１０は、特に、鉗子チャンネルを洗浄するために、鉗子入口２４に設けられた口金２４Ａ（図７参照）のフランジ部２４ＡＦ（図７参照）に洗浄アダプタ２が装着される。本発明に係る洗浄アダプタ２は、これに限ることなく、吸引チャンネル、送気・送水チャンネルなどの管路を洗浄するために、口金のフランジ部に相当する箇所に装着して用いてもかまわない。
【００２１】
内視鏡１０には、洗浄アダプタ２を介して内視鏡洗浄装置（以下、洗浄装置と呼ぶ）３０が接続される。洗浄装置３０は、箱状の装置本体３１を備えている。装置本体３１の上部には、使用後の内視鏡１０を収容し、洗浄液や消毒液が供給される洗浄槽３２が設けられている。洗浄槽３２は、上部が開放された水槽であり、例えばステンレス等の耐熱性、耐蝕性等に優れた金属材料で形成されている。装置本体３１には、洗浄槽３２の開口部を覆う蓋（図示せず）が設けられている。また、装置本体３１は、洗浄槽３２や蓋の他、操作パネル３３、洗浄液や消毒液を洗浄槽３２に供給するための配管、ポンプ、電磁弁、洗剤や消毒液を貯留するタンク（図示せず）などからなる。
【００２２】
洗浄槽３２の内周形状は、上方から見ると、前方部分が略円形で、後方部分が略方形をしている。前方部分の中央には、内視鏡１０から取り外された、弁部材、操作ボタンなどの小物部品を収容する小物洗浄かご３４が配置されている。内視鏡１０は、挿入部１１及びユニバーサルコード１３が巻き回された状態で、小物洗浄かご３４の周囲を取り囲むようにして、洗浄槽３２上に載置される。
【００２３】
洗浄槽３２の後方部分には、洗浄槽３２の底面よりも一段高いテラス部３２Ａ，３２Ｂが設けられている。テラス部３２Ｂには、鉗子チャンネル、吸引チャンネル、送気・送水チャンネル内の洗浄、消毒に用いられるチャンネル洗浄ポート４０が設けられている。チャンネル洗浄ポート４０は、内視鏡１０の各種チャンネルに対して、洗浄液、消毒液、アルコール、圧縮空気といった流体を供給する流体供給ポートである。チャンネル洗浄ポート４０は、複数のポート４０Ａ〜４０Ｄからなる。
【００２４】
ポート４０Ａは、洗浄アダプタ２及びチューブ４３を介して鉗子チャンネルに接続され、鉗子チャンネルに流体を供給するポートである。ポート４０Ｂ，４０Ｃは、チューブ４１，４２を介して鉗子チャンネル、吸引チャンネル、送気・送水チャンネルに流体を供給するポートである。ポート４０Ｄは、予備用のポートである。これにより、ポートから供給された流体は、鉗子チャンネル，吸引チャンネル，送気・送水チャンネルの全域を通過する。
【００２５】
洗浄アダプタ２は、図２及び図３に示すように、アダプタ本体５２と、第一，第二ロック部材５３，５４とを組み合わせたロック部材５５とを有する。図４に示すように、アダプタ本体５２は、天板５６の底面に円柱部５７を一体成形したもので、円柱部５７は底面側が開放され、ガイドパイプ５８の上端側が装着される。円柱部５７の底面には、放射方向に延びた複数本の溝５７Ａが形成されている。
【００２６】
ガイドパイプ５８から円柱部５７の内部を通って天板５６の開口５６Ａに達するように直線状の給水路が形成され、開口５６Ａには洗浄装置の給水チューブ４３が接続される供給パイプ６０が固定されている。図２に示すように、供給パイプ６０からガイドパイプ５８に一直線に延びた給水路の中心を通る軸Ｓ１に対し、円柱部５７の中心を通る軸Ｓ２は偏心している。
【００２７】
第一ロック部材５３は、上部に円柱部５７の外径よりもわずかに大きい内径で開口５３Ａが形成され、その内部にはさらに大きい内径の中空部が設けられている。また、上面にはクリックピン６２を取り付けるための穴５３Ｂと、天板５６の下面に突設した規制ピン６３が入り込むように、円弧状の溝５３Ｃが形成されている。さらに、第一ロック部材５３の側方が突出するように取手５３Ｄが一体に設けられている。この取手５３Ｄに対応し、天板５６にも側方に突出して取手カバー５６Ｂが設けられ、取手５３Ｄが真下に移動してきたときには、その上面を全体的に覆うサイズになっている。また、取手５３Ｄが取手カバー５６Ｂの真下に移動してきたときには、クリックピン６２がちょうど天板５６に設けられたクリック穴５６Ｃにクリック係合するようになっている。
【００２８】
アダプタ本体５２の円柱部５７を第一ロック部材５３の開口５３Ａに挿入した後、第一ロック部材５３の底面側から円柱部５７の外周を囲むようにコイルバネ７０を挿入し、コイルバネ７０の下端を受け止めるリング７１を円柱部５７の細径部に固着する。コイルバネ７０の上端が第一ロック部材５３の上部内壁に当接することにより、第一ロック部材５３はアダプタ本体５２に対して常時上方に向かって付勢された状態となる。また、リング７１の外径は第一ロック部材５３の中空部の内径とほぼ一致している。
【００２９】
さらに第一ロック部材５３には円筒状の第二ロック部材５４がビス７５で固定される。第二ロック部材５４の底面には、図５に示すように、円柱部５７の外径と略等しい内径の円弧８０Ａと、その両端を結ぶ弦８０ＢとからなるＤ字状の開口８０が形成されている。この弦８０Ｂに対応して形成される底板部５４Ａが洗浄アダプタ２を口金２４Ａにロックしあるいはロック解除するロック部として作用する。
【００３０】
図６に示されるように、ガイドパイプ５８は上端部にフランジ部５８Ａが設けられ、下端部に口金２４Ａに着脱自在に遊嵌する挿入部５８Ｂが設けられている。挿入部５８Ｂには径の小さい溝５８ＢＦが設けられている。また、下端側で外径が小さくなる円錐台形状の太径部５８ＢＧが設けられている。太径部５８ＢＧには、口金２４Ａの中央に向けて洗浄液を吐出する本流出口５８ＢＨと、洗浄液を上方に向かって口金２４Ａ内だけでなく口金２４Ａの外周面へ吐出するための分流出口５８ＢＩが設けられている。太径部５８ＢＧは、その外周面が口金の内壁に近接する。円柱部５７の内壁とガイドパイプ５８の外周面との間にはバネ９０が挟まれ、バネ９０は支持部材９１で支持されている。バネ９０の上端がフランジ部５８Ａに当接することにより、ガイドパイプ５８は常時上方に向かって付勢された状態となる。
【００３１】
次に本発明の作用を説明する。図７は、洗浄アダプタ２が鉗子入口２４の口金２４Ａに接続された様子を表している。この接続状態では、口金２４Ａのフランジ部２４ＡＦの下側に第二ロック部材５４の底板部５４Ａが入り込み、洗浄アダプタ２が上方に抜けることはない。また、コイルバネ７０の付勢力でクリックピン６２がクリック穴５６Ｃに係合しているから、アダプタ本体５２に対して第一及び第二ロック部材５３，５４が相対的に回転することはない。
【００３２】
なお、口金２４Ａを中心に、アダプタ本体５２に対してロック部材５５は共に回転可能であるが、この回転によって底板部５４Ａがフランジ部２４ＡＦから外れることはない。また、口金２４Ａの中にはガイドパイプ５８が入り込み、口金２４Ａに対して洗浄アダプタ２が横にスライドすることもないから、結果的に洗浄アダプタ２は口金２４Ａに接続された状態を維持する。
【００３３】
なお、洗浄アダプタ２を取り外す際には、クリックピン６２とクリック穴５６との係合を解除するように第一ロック部材５３を回転操作すればよい。第二ロック部材５４は第一ロック部材５３と一体になって軸Ｓ２を中心に回転し、底板部５４Ａは軸Ｓ１に対して偏心して回転するから、底板部５４Ａをフランジ部２４ＡＦから離脱させることができる。底板部５４Ａをフランジ部２４ＡＦから離脱させた後は、そのまま洗浄アダプタ２を上方に引き抜けばよい。もちろん、逆の操作を行うことによって、洗浄アダプタ２を口金２４Ａに装着することが可能である。
【００３４】
洗浄装置３０のチューブ４３を予め洗浄アダプタ２の供給パイプ６０に接続していない場合には、洗浄アダプタ２を口金２４Ａに接続した後、供給パイプ６０の先端にチューブ４３を接続する。続いて洗浄装置３０の操作パネル３３で入力操作を行って鉗子チャネルの洗浄を開始すると、図８のように洗浄液が供給パイプ６０を通して洗浄アダプタ２に流入し、さらにガイドパイプ５８を通って太径部５８ＢＧに達する。太径部５８ＢＧの底面に形成された本流出口５８ＢＨから吐出した洗浄液は口金２４Ａの内部に流入する。また、太径部２４Ａの上面に形成された分流出口５８ＢＩから吐出した洗浄液は、第一ロック部材５３の底面に放射状に形成された溝５７Ａを経て口金２４Ａの外周面に達し、この部分も効果的に洗浄することができる。
【００３５】
洗浄装置３０から供給される洗浄液の圧力は一定ではなく、一般にはランダムな周期で変動する。このため、ガイドパイプ５８のフランジ部５８Ａに加わる液圧が変化する。バネ９０の付勢力は液圧の変化に追従する程度にしてあるから、ガイドパイプ５８は液圧の変化に追従して第一ロック部材５３の中空部内で上下動する。ガイドパイプ５８の上下動とともに太径部５８ＢＧが口金２４Ａの内部で上下し、洗浄液の吐出位置が変化する。これにより洗浄液の流路が様々に変化することになって、口金２４Ａの内周面はもとより、その外周面も洗浄液に曝されない部分がほとんどなくなり、効率的な洗浄作用を得ることができる。
【００３６】
以上のような本実施形態に係る内視鏡の洗浄アダプタによれば、送液圧により太径部がガイドパイプの軸方向に移動するため、太径部の外周面と口金の内壁との間に確実に流体が通過し、口金内に全く薬液に触れない箇所をなくすことができ、口金内の全ての箇所を確実に洗浄、消毒することができる。
【００３７】
上記実施例の説明では、内視鏡管路へ流入させる流体として洗浄液や消毒液などの液体が用いられているが、本発明の適用はかかる場合に限定されず、例えば、減菌ガスなどの気体でもよい。
【００３８】
また、上記実施例の説明では、洗浄アダプタを洗浄装置に接続して洗浄液を送ることとしたが、本発明の適用はかかる場合に限定されず、例えば、洗浄アダプタをシリンジなどに接続して手動で圧を上下させながら洗浄液を送って洗浄してもよい。
【符号の説明】
【００３９】
１０  内視鏡
２４Ａ  口金
５２  アダプタ本体
５３  第一ロック部材
５４  第二ロック部材
５８  ガイドパイプ
５８ＢＧ  太径部
５８ＢＨ  本流出口
５８ＢＩ  分流出口
６２  クリックピン
６３  規制ピン
７０  コイルバネ
９０  バネ
９１  支持部材
【図１】
2013111446.tif 000003
【図２】
2013111446.tif 000004
【図３】
2013111446.tif 000005
【図４】
2013111446.tif 000006
【図５】
2013111446.tif 000007
【図６】
2013111446.tif 000008
【図７】
2013111446.tif 000009
【図８】
2013111446.tif 000010